(57)【特許請求の範囲】
【請求項１】
移動農機の後部にロータリ耕耘装置Ｂを配置し、該ロータリ耕耘装置Ｂの後部上方に、紙マルチフィルム被覆装置Ｃを配置する構成において、
該ロータリ耕耘装置Ｂの両側より後方に、支持フレーム１０・１０を突設し、該支持フレーム１０・１０の後部に取付ビーム１１を横設し、該取付ビーム１１上に支柱２０・２０を立設し、該支柱２０・２０に載置フレーム２１・２１の前部を、上下位置調節可能に固定し、該載置フレーム２１・２１の後下部に、紙マルチフィルムＦを回転引出し可能に支持する水平方向の紙マルチフィルム支持フレーム２２を固設し、
前記載置フレーム２１・２１の中途部の後面に、円柱状のストッパー２６・２６を左右方向に付設し、該ストッパー２６・２６と載置フレーム２１・２１上に、複数の予備紙マルチフィルムＦ１を積重ねて載置可能とし、該ストッパー２６によって、マルチフィルム支持フレーム２２上の紙マルチフィルムＦと、予備の紙マルチフィルムＦ１を接触しないようにしたことを特徴とする紙マルチフィルム被覆装置。
【発明の詳細な説明】
【０００１】
【発明の属する技術分野】
本発明は、トラクタや管理機等の移動農機後部に畝整形器と紙マルチフィルム被覆装置を配置し、この紙マルチフィルムの載置構成に関する。
【０００２】
【従来の技術】
従来から野菜を栽培するために、圃場において畝整形を行うと同時にマルチフィルムを敷設することは行われており、マルチフィルムを敷設することによって土壌の温度を高めたり、保温したりして作物の生育を助長したり、作物を植えた場所以外の畝面に雑草が生えないようにしていた。このマルチフィルムはポリエチレン等の合成樹脂フィルムでできているために、分解することが殆どなく、使用後には剥がして、焼却したり捨てることとなっていた。
【０００３】
【発明が解決しようとする課題】
近年では資源の有効利用や環境問題が提起され、合成樹脂製のマルチフィルムに代わり紙マルチフィルムが提供されるようになってきており、紙マルチフィルムを使用することで、作物の収穫後には耕耘機等で土中に鋤込んで、回収する手間を省き、鋤込んだ紙マルチフィルムはパルプでできているために容易に分解し、有機物に変化することで肥料ともなり、生育に貢献することにもなる。
しかし、紙マルチフィルムは合成樹脂製のマルチフィルムに比べて重いため、紙マルチフィルム被覆装置によって、被覆作業をしている途中で紙マルチフィルムがなくなると、重いロール状の紙マルチフィルムを運ぶ必要があり、圃場の中央部等では運ぶことが重労働となっていた。また、長い畝の場合には何度も取りに戻ることがあり、面倒な作業となっていた。
【０００４】
【課題を解決するための手段】
本発明が解決しようとする課題は以上の如くであり、次に該課題を解決するための手段を説明する。
移動農機の後部にロータリ耕耘装置Ｂを配置し、該ロータリ耕耘装置Ｂの後部上方に、紙マルチフィルム被覆装置Ｃを配置する構成において、該ロータリ耕耘装置Ｂの両側より後方に、支持フレーム１０・１０を突設し、該支持フレーム１０・１０の後部に取付ビーム１１を横設し、該取付ビーム１１上に支柱２０・２０を立設し、該支柱２０・２０に載置フレーム２１・２１の前部を、上下位置調節可能に固定し、該載置フレーム２１・２１の後下部に、紙マルチフィルムＦを回転引出し可能に支持する水平方向の紙マルチフィルム支持フレーム２２を固設し、前記載置フレーム２１・２１の中途部の後面に、円柱状のストッパー２６・２６を左右方向に付設し、該ストッパー２６・２６と載置フレーム２１・２１上に、複数の予備紙マルチフィルムＦ１を積重ねて載置可能とし、該ストッパー２６によって、マルチフィルム支持フレーム２２上の紙マルチフィルムＦと、予備の紙マルチフィルムＦ１を接触しないようにしたものである。
【０００５】
【発明の実施の形態】
本発明の車輪式移動装置を説明する。
図１は紙マルチフィルム被覆装置の全体側面図、図２は同じく斜視図、図３はロールカバーを開けた状態の斜視図である。
【０００６】
図１、図２において移動農機をトラクタ１として、該トラクタ１の後部に装着した紙マルチフィルム被覆装置Ｃの全体構成から説明する。
トラクタ１の後部には３点リンク式の作業機装着装置Ａを介して作業機としてロータリ耕耘装置Ｂが装着されている。ロータリ耕耘装置Ｂの前左右中央のギアボックスとトラクタ１の後面より突出したＰＴＯ軸との間にはユニバーサルジョイント２を介装して、該ロータリ耕耘装置Ｂのギアボックスから伝動軸やチェーンケース３内のチェーンやスプロケット等を介して耕耘爪軸に動力を伝え、耕耘爪軸上に植設した耕耘爪８を回動することで圃場を内盛り状に耕す。
【０００７】
前記ロータリ耕耘装置Ｂのサポート部より、デプスフレーム４が後方に上下回動自在に突出され、該デプスフレーム４の両側下方にゲージ輪５・５が軸支されている。該デプスフレーム４とトップリンク支持アーム６との間には、長さ調節可能な調節リンク７を介装している。該調節リンク７はハンドル９を回動することによってゲージ輪５・５を上下してロータリ耕耘装置Ｂの耕耘深さを調節できるようにしている。
【０００８】
また、ロータリ耕耘装置Ｂ両側のチェーンケース３及びサイドサポートより後方に、支持フレーム１０・１０を突設し、該支持フレーム１０・１０の後部に取付ビーム１１を横設し、該取付ビーム１１の両側よりステー１２・１２を後下方に突設している。以下左右対称に構成されているので一側に付いて説明する。
該ステー１２の後下部に取付パイプ１４を上下位置調節可能に横設し、該取付パイプ１４に畝整形板１３を左右位置調節可能に取り付けて耕耘と同時に畝整形を行っている。そして更に、前記取付パイプ１４の外側に溝付アーム１５の前端を枢支し、該溝付アーム１５と取付パイプ１４より下方へ垂設したステー１６との間にバネ１７を介装して、溝付アーム１５を下方回動するように付勢するとともに、上方へ回動したときには死点越えとなって、上方回動位置で維持でき、収納できるようにしている。前記溝付アーム１５の後部には踏圧輪１８が回転自在に支持され、その後部に覆土ディスク１９が配置されて、溝付け覆土機構を構成している。
【０００９】
そして、前記取付ビーム１１上に支柱２０・２０を立設し、該支柱２０・２０に本発明の紙マルチフィルム被覆装置Ｃが装着されている。即ち、支柱２０・２０に上下位置調節可能に側面視Ｌ字状の載置フレーム２１・２１の前部が固定され、本実施例では、支柱２０・２０に上下方向に開口したピン孔に、載置フレーム２１・２１の前部にピンを抜き差しすることにより上下位置調節可能としている。該載置フレーム２１・２１後下部に、水平方向に紙マルチフィルム支持フレーム２２が固設され、該紙マルチフィルム支持フレーム２２は四角形の枠状に構成されて、内側の左右方向の長さを紙マルチフィルムＦの幅よりも長くしている。該紙マルチフィルム支持フレーム２２の内側の前後左右両側には、支持ローラー２３・２３・２３・２３が回転自在に枢支され、該支持ローラー２３・２３・２３・２３上に紙マルチフィルムＦを巻いたロールを、左右方向に回転自在に載置できるようにして、作業用の紙マルチフィルムＦの載置部を構成している。
【００１０】
そして、前記載置フレーム２１・２１の中途部の後面に円柱状のストッパー２６・２６が付設され、該ストッパー２６・２６と載置フレーム２１・２１上に予備の紙マルチフィルムＦ１を載置できるようにし、このストッパー２６・２６によって載置部上の紙マルチフィルムＦと接触しないようにして、紙マルチフィルムＦが引き出されるときの回転を邪魔しないようにしている。但し、ストッパー２６の形状は限定するものではなく紙マルチフィルムＦ１を受け止められて、補充するときに容易に乗り越えられる構成のものであればよい。
更に予備の紙マルチフィルムＦ１と支柱２０の間の上に予備の紙マルチフィルムＦ２を載置できるようにしており、紙マルチフィルムＦ・Ｆ１・Ｆ２が斜め方向に連続して配置することで、前後方向及び上下方向に長くなることを防止している。但し、本実施例では二つの予備の紙マルチフィルムを載置できるようにしているが、３本以上であってもよくその数は限定するものではない。また、予備の紙マルチフィルムＦ１・Ｆ２は作業用の紙マルチフィルムＦの前上方に配置しているが、上方であっても後方であってもよく、紙マルチフィルムＦの近傍で容易に補充できる位置あれば限定するものではない。２７は紙マルチフィルムＦ・Ｆ１・Ｆ２の両側がずれないように押さえるロールガイドである。
【００１１】
また、前記紙マルチフィルム支持フレーム２２の下部には切断装置Ｄが配置されて、圃場端や作業終了時に切断ハンドル３５を引っ張るとワイヤーが引かれて、紙マルチフィルムＦを長手方向に対して直角方向に切断できるようにしている。また、紙マルチフィルム支持フレーム２２の後左右中央にガイドローラー取付フレーム２４が上下及び前後位置調整可能に取り付けられ、該ガイドローラー取付フレーム２４にガイドローラー２５が回転自在に支持されて、引出しガイド機構機を構成している。該ガイドローラー２５は畝の形状に合わせた円錐状に構成されて、一対対向して配置されている。
【００１２】
そして、前記支柱２０・２０の上端には蝶番３０・３０が配置され、ロールカバー３１の前部を枢支し、該ロールカバー３１は載置する紙マルチフィルムＦ・Ｆ１・Ｆ２の上方及び前後左右側面を十分覆う大きさとして、このロールカバー３１によって予備の紙マルチフィルムＦ１・Ｆ２を保持して振動や揺れ等で落下しないようにしている。そして、ロールカバー３１の後端部には係止具３２を配置しており、該係止具３２に係止される被係止具３３が前記紙マルチフィルム支持フレーム２２の後部上に立設した取付体３４上に設けられている。
【００１３】
このようにして、紙マルチフィルムＦの一端を前記前後の支持ローラー２３・２３・２３・２３の間から下方に引出し、ガイドローラー２５の下方から後方へ引出し、畝端に固定して、走行しながら耕耘作業を行えば、同時に紙マルチフィルムＦが引き出されて、紙マルチフィルムＦの両側は踏圧輪１８に押さえられて、覆土ディスク１９によって土が被せられて押さえることができ、畝上に紙マルチフィルムＦを敷設することができる。そして、紙マルチフィルムＦがなくなると、ロールカバー３１を上方に回動して開け、予備の紙マルチフィルムＦ１を落下させれば、支持ローラー２３・２３・２３・２３上に落ちて、端部を引き出して容易に被覆作業を続行でき、予備の紙マルチフィルムＦ２はストッパー２６・２６によって受け止められるのである。
【００１４】
【発明の効果】
本発明は以上の如く構成したので、次のような効果を奏するのである。
移動農機の後部にロータリ耕耘装置Ｂを配置し、該ロータリ耕耘装置Ｂの後部上方に、紙マルチフィルム被覆装置Ｃを配置する構成において、該ロータリ耕耘装置Ｂの両側より後方に、支持フレーム１０・１０を突設し、該支持フレーム１０・１０の後部に取付ビーム１１を横設し、該取付ビーム１１上に支柱２０・２０を立設し、該支柱２０・２０に載置フレーム２１・２１の前部を、上下位置調節可能に固定し、該載置フレーム２１・２１の後下部に、紙マルチフィルムＦを回転引出し可能に支持する水平方向の紙マルチフィルム支持フレーム２２を固設し、前記載置フレーム２１・２１の中途部の後面に、円柱状のストッパー２６・２６を左右方向に付設し、該ストッパー２６・２６と載置フレーム２１・２１上に、複数の予備紙マルチフィルムＦ１を積重ねて載置可能とし、該ストッパー２６によって、マルチフィルム支持フレーム２２上の紙マルチフィルムＦと、予備の紙マルチフィルムＦ１を接触しないようにしたので、長い畝の被覆作業時に途中で紙マルチフィルムがなくなった場合でも、予備の紙マルチフィルムを容易に補充することができるようになり、圃場端まで、重量の大きな紙マルチフィルムを取りに戻る必要がなくなり、作業効率を落とすことなく被覆作業を続行できるようになったのである。
【図面の簡単な説明】
【図１】  紙マルチフィルム被覆装置の全体側面図である。
【図２】  同じく斜視図である。
【図３】  ロールカバーを開けた状態の斜視図である。
【符号の説明】
Ｃ  紙マルチフィルム被覆装置
Ｆ  紙マルチフィルム
Ｆ１・Ｆ２  予備の紙マルチフィルム
【図１】
0003642900.tif 000002
【図２】
0003642900.tif 000003
【図３】
0003642900.tif 000004